(57)【要約】【課題】  運転情報の提示の態様をより一層工夫した運転支援装置を提供する。【解決手段】  車両に設置されたカメラにより撮影されたカメラ画像を含み、場合によって撮影時の当該車両の位置を示すＧＰＳ情報を含むことがある運転情報をメモリカード２３０から取得し、取得された運転情報がＧＰＳ情報を含むか否かを判別し（ステップＳ９２０）、判別の結果、ＧＰＳ情報を含む場合、表示装置の第１表示領域に前記ＧＰＳ情報が示す位置を記した地図画像を作成して表示し、その上に前記第１表示領域の一部と重なる第２領域であって、少なくとも前記地図画像上に記された前記ＧＰＳ情報の位置を含まない第２領域に、カメラ画像を表示し（ステップＳ９４０、９５０）、ＧＰＳ情報を含まない場合、前記第１表示領域にカメラ画像を表示する（ステップＳ９６０）。【選択図】  図９
2008033821.tif 000002
【特許請求の範囲】
【請求項１】
車両に設置されたカメラにより撮影されたカメラ画像を含み、撮影時の当該車両の位置を示す位置情報を含むことがある運転情報を取得する取得手段と、
前記取得手段により取得された運転情報が位置情報を含むか否かを判別する判別手段と、
判別の結果、位置情報を含む場合、表示装置の所定の表示領域に前記位置情報の位置を記した地図画像とカメラ画像とを表示し、
位置情報を含まない場合、前記表示領域にカメラ画像を位置情報を含む場合の表示よりも大きく表示する画像表示手段と
を備えることを特徴とする運転支援装置。
【請求項２】
前記運転情報は、さらに、文字情報を含み、
前記取得手段は、複数の運転情報を取得し、
前記運転支援装置は、さらに、
前記取得手段により取得された各運転情報に含まれる文字情報をリスト化して前記表示領域とは重ならない他の表示領域に表示するリスト表示手段と、
前記リスト上のいずれかの運転情報のユーザによる選択指示を取得する指示取得手段とを備え、
前記判別手段及び前記表示制御手段は、前記選択指示取得手段により選択された運転情報について、前記判別及び前記表示を行う
ことを特徴とする請求項１に記載の運転支援装置。
【請求項３】
コンピュータに読み取り可能な運転支援プログラムであって、当該プログラムはコンピュータに、
車両に設置されたカメラにより撮影されたカメラ画像を含み、撮影時の当該車両の位置を示す位置情報を含むことがある運転情報を記録媒体から取得する取得ステップと、
前記取得ステップにより取得された運転情報が位置情報を含むか否かを判別する判別ステップと、
判別の結果、位置情報を含む場合、表示装置の所定の表示領域に前記位置情報の位置を記した地図画像とカメラ画像とを表示し、
位置情報を含まない場合、前記表示領域にカメラ画像を位置情報を含む場合の表示よりも大きく表示する画像表示ステップと
を実行させることを特徴とする運転支援プログラム。
【発明の詳細な説明】
【技術分野】
【０００１】
本発明は、ドライブレコーダのデータを収集・分析して運転者の運転支援を行うための運転支援装置に関する。
【背景技術】
【０００２】
トラックやタクシー等の業務用車両に搭載されたドライブレコーダからカメラ画像や車速、ＧＰＳ（Ｇｌｏｂａｌ  Ｐｏｓｉｔｉｏｎｉｎｇ  Ｓｙｓｔｅｍ）位置情報などの運転情報を収集し、分析して、乗務員の運転教育に活用する運転支援装置が旅客運送事業者に普及しつつある。運転教育とは、例えば、運行管理者等が、各車両のドライブレコーダに記録された運転情報を回収し、運転情報の内容をチェックして各乗務員の運転の仕方等を分析し、より安全な運転の仕方等を指導するというものである。
【０００３】
このような装置の従来例として、特許文献１は、表示領域が第１領域の領域と第２領域から構成され、第１画面にカメラ画像を表示し、第２画面にカメラ画像が撮影された車両位置を示した地図画像を表示する運転支援装置を提案している。この装置であれば、記録されたカメラ画像と対応する車両位置とを同時に確認することができる。
【特許文献１】特開２００６−１２０１３７号公報
【発明の開示】
【発明が解決しようとする課題】
【０００４】
ところが特許文献１の運転支援装置では、次のような問題がある。すなわち、ドライブレコーダには、ＧＰＳ情報を記録しない仕様のものがある。ＧＰＳ情報の記録がない場合、特許文献１の運転支援装置では、第２領域にＧＰＳ情報からの車両位置を記した地図画像を表示することができず、第２領域が全く無駄になる。
【課題を解決するための手段】
【０００５】
そこで本発明は、上記問題を踏まえて、運転情報の提示の態様をより一層工夫した運転支援装置を提供することを目的とする。
【０００６】
上記目的を達成する運転支援装置は、車両に設置されたカメラにより撮影されたカメラ画像を含み、撮影時の当該車両の位置を示す位置情報を含むことがある運転情報を取得する取得手段と、前記取得手段により取得された運転情報が位置情報を含むか否かを判別する判別手段と、判別の結果、位置情報を含む場合、表示装置の所定の表示領域に前記位置情報の位置を記した地図画像とカメラ画像とを表示し、位置情報を含まない場合、前記表示領域にカメラ画像を位置情報を含む場合の表示よりも大きく表示する画像表示手段とを備える。
【発明の効果】
【０００７】
この構成により運転情報に位置情報が含まれず地図画像が表示できない場合でも、カメラ画像を第１領域に全面表示することができるので従来のような表示の無駄がなくなるし、また地図画像を表示できる場合には地図画像とカメラ画像を適切な配置で重ねることにより、地図画像上の文字等を縮小させることなく適切な大きさで表示することができる。
【発明を実施するための最良の形態】
【０００８】
＜概略構成＞
図１は、本発明の実施形態に係る運転支援システムの概略構成を示す図であり、図１（ａ）はセンタ側の運転支援装置の概略構成を示し、図１（ｂ）は移動局側のドライブレコーダと周辺装置からなる車載装置の概略構成を示す。
【０００９】
図１（ａ）において、運転支援装置は、運転支援ソフトがインストールされたパーソナルコンピュータ（ＰＣ）１１０、地図データやメモリカードからの運転情報等を蓄積したデータベース１２０、メモリカードリーダ１３０、表示画像を紙面に印刷するプリンタ１４０等から構成される。
【００１０】
ＰＣ１１０は、図示を省略しているが、ＣＰＵやメモリ等の一般的なＰＣ本体の構成と、マウスやキーボード、ディスプレイ等の入出力装置を備える。ＣＰＵは、運転支援ソフトに含まれるプログラムを解釈実行して運転支援装置の各構成要素を動作させ、本発明の特徴部分にかかる各種機能を実現する。この機能の具体例については、後に図４以降の図面を用いて説明するが、簡単に説明すると、以下のようなものである。
【００１１】
すなわち、各車両から回収されたメモリカードから運転情報を読み込み、運転情報の主要な項目をリストにして表示し、このリストの中からマウスで選択された運転情報についてリストの横の表示領域にカメラ画像を表示する。このカメラ画像の表示の際は、運転情報のＧＰＳ情報の有無を識別し、有無によってカメラ画像の表示態様を換えて表示する。より詳しくは、ＧＰＳ情報が有るときは位置を示す地図画像を作成し、地図画像の上の片隅にカメラ画像を重ねて表示領域に表示し、ＧＰＳ情報が無いときはカメラ画像のみを、表示領域全体に表示する。本発明は、サイズの限られた画面上に運転情報のリスト、カメラ画像及び地図画像を工夫したレイアウトで表示する表示の仕方に特徴がある。
【００１２】
図４の理解を容易にするために、先に、図１（ｂ）、図２、図３を用いて、車載装置の構成と運転情報のデータ構造について説明する。
【００１３】
図１（ｂ）において、車載装置は、ドライブレコーダ２１０、車両の前方を所定のレートで連続的に撮影するよう車両に設置されたカメラ２２０、メモリカード２３０、車両の各種情報や信号を取得してドライブレコーダに入力する車両信号取得部２４０、車両の位置情報を測位するＧＰＳ受信機２５０、車両の後方又は内部を所定のレートで撮影するよう車両に設置されたカメラ２６０、車両内部又は外部の音声を集音するマイク２７０、ユーザ操作によりメモリカード２２０に運転情報の記録を指示するための外部スイッチ２８０及びＡＶＭシステム（ＡｕｔｏｍａｔｉｃＶｅｈｉｃｌｅＭｏｎｉｔｏｒｉｎｇＳｙｓｔｅｍ）２９０から構成される。ここで図１（ｂ）に示す車載装置の構成は、本実施形態ではフル仕様の構成を示すものであり、車両によってはフル仕様構成でない車載装置を備えるものもある。つまり、車両によっては、図１（ｂ）の構成全てを含んだ車載装置を備えるものもあり、図１（ｂ）の構成を部分的に含まない車載装置を備えるものもある。部分的に含まない車載装置とは、具体的には、ＧＰＳ受信機２５０、カメラ２６０、マイク２７０、外部スイッチ２８０、ＡＶＭシステム２９０のいずれかを含まない構成のものである。
【００１４】
ドライブレコーダ２１０は、内部にＧセンサを備え、Ｇセンサの検出値に基いて急加速、急減速、急ハンドル等を検出したとき、及び、外部スイッチ２８０の操作を検出したとき、その検出をトリガにして前後数秒分の各種データを取得して、１つの運転情報としてメモリカード２３０に記録する。
【００１５】
メモリカード２３０に記録される運転情報は、車両に付与された車番、車両の乗務員を識別する乗務員番号、Ｇセンサが検知したＧ値、カメラ２２０及び／又は２６０が撮影したカメラ画像、車両信号取得部２４０が外部の車速センサから取得した車速、ＧＰＳ受信機２５０が測位したＧＰＳ位置情報、マイク２７０が集音した音声、ＡＶＭシステム２９０が管理している動態情報等を含む。ドライブレコーダ２１０は、トリガ検出時から前後数秒分の複数のカメラ画像１枚１枚に対応付けて、運転情報の各種データを記録する。
＜メモリカードのデータ構造＞
図２は、メモリカード２３０に記録される内容のデータ構造を概念的に示す図である。
【００１６】
同図に示すように、メモリカード２３０には、各トリガの発生毎に、対応する運転情報が、運転情報１、運転情報２、運転情報３というように区分されて記録される。運転情報１は、トリガ発生時の前後数十秒分に相当する３００枚のカメラ画像１〜３００と、カメラ画像以外のその他の運転情報を含む画像関連情報とから構成される。画像関連情報は、車番やトリガ発生時のＧ値を含む主項目データと、３００枚のカメラ画像１〜３００それぞれに対応する関連データ１〜３００とを含む。運転情報２、３についても同様である。
【００１７】
図３（ａ）（ｂ）に、主項目データと画像関連データのデータ構造をそれぞれ示す。
【００１８】
図３（ａ）において、主項目データは、車番、乗務員番号、トリガ種別、トリガ発生時の車両進行方向のＧ値を示すＧ値Ｘ、トリガ発生時の車両進行方向に水平面で直交する方向のＧ値を示すＧ値Ｙを含む。
【００１９】
図３（ｂ）において画像関連データは、どのカメラ画像に対応しているかを示すデータ番号、当該画像関連データがトリガ発生時のタイミングに対応するものであるか否かを示す検知情報、トリガ発生時の日付、対応するカメラ画像の撮影時刻、対応するカメラ画像が撮影された時の車両進行方向のＧ値Ｘ、直交方向のＧ値Ｙ、車速、当該画像関連データが測位されたＧＰＳ情報を含むか否かを示す測位有無情報、測位されたＧＰＳ情報のＸ座標、Ｙ座標、動態情報、外部スイッチ（ＳＷ）を含む。
【００２０】
では、このような記録内容が運転支援装置でどのように表示されるかということを説明する
＜表示画面の構成＞
図４は、表示画面の一構成例を示す。
【００２１】
ＰＣ１１０は、各車両から回収したメモリカード２３０の記録をメモリカードリーダ１３０で読み込んでデータベース１２０に蓄積した後、ディスプレイに図４のような画面を表示する。
【００２２】
同図の画面は、主に、検索条件入力領域４１０と、運転情報リスト表示領域４２０、画像表示領域４４０とから構成される。
【００２３】
検索条件入力領域４１０は、データベース１２０に記録された運転情報のうち、チェック対象の運転情報を絞り込むために、記録日時や時間帯等の各種条件のユーザ入力を受け付ける領域である。
【００２４】
運転情報リスト表示領域４２０は、検索条件入力領域４１０の入力により検索された運転情報をリストにして表示する領域である。リスト中の各行はそれぞれ、検索された運転情報に対応し、運転情報から抽出した日時、Ｇ値、トリガ種別の３項目からなる。ここで日時は、トリガ検出タイミングにおける画像関連データから抽出した日付と時刻とを合わせたデータである。Ｇ値は、トリガ検出タイミングにおける画像関連データから抽出したＧ値ＸとＧ値Ｙの合成値である。Ｇセンサは、Ｘ方向とＹ方向の２つのＧ値を出力するものであるが、トリガ検出の判断は、２つのＧ値を合成した値を閾値と比較して行っている。トリガ種別は、その運転情報を記録することとなったトリガの種類を示す。種類には、Ｇセンサ、外部スイッチ等がある。
【００２５】
このリストのうちの１つがマウス操作等により選択されると、その運転情報に対応するカメラ画像４６０と地図画像４５０とが、画像表示領域４４０に表示される。同図では今、リスト中の行４３０が選択されて、ＰＣ１１０がその行を反転表示することによりその行が選択中であることを示している。
【００２６】
カメラ画像４６０は、行４３０の運転情報に含まれるカメラ画像のうち、トリガ発生タイミングにカメラ２２０又は２６０により撮影された画像である。
【００２７】
地図画像４５０は、行４３０の運転情報に含まれる画像関連データのうち、トリガ発生タイミングに測位されているＧＰＳ情報を用いて、当該ＧＰＳ情報の位置を中心とする地図データをデータベース１２０から読み出して、位置を示すアイコンとともに表示したものである。
【００２８】
図５は、図４の画像表示領域４４０の表示内容を説明のために拡大したものである。
【００２９】
同図に示すように地図画像４５０の右上角部分にカメラ画像４６０が重ねて表示されている。アイコン４９０は、ＧＰＳ情報が示す地図画像上の位置を示す。
【００３０】
地図画像４５０は、ユーザにトリガ発生の位置が地図上のどこであるかを確認させるための画像である。確認を容易にするには、（１）アイコン４９０とその付近の地名や道路が地図上に表示されていることと、（２）アイコン４９０付近の地名や道路がユーザに視認可能なある程度の大きさをもって表示されていることが主な条件となる。画像表示領域４４０の表示範囲内で、（１）（２）の条件を満たすように地図画像４５０とカメラ画像４６０とを表示するには、図５のようなレイアウトにするのが良い。すなわち、地図画像４５０を画像表示領域４４０の枠いっぱいに表示することでアイコン４９０付近の地名や道路のある程度の大きさを確保し、カメラ画像４６０を地図画像４５０の右上角に表示することで、アイコン４９０及び付近の地名や道路を覆い隠すことない。また、もしも地図画像４５０とカメラ画像４６０とを画像表示領域４４０中に互いに重ねずに表示しようとすれば、地図画像４５０の領域がカメラ画像４６０の領域に圧迫されて小さくなってしまい、その結果、地図画像の視認性が劣るという問題があるが、図５の場合では２つの画像を重ね合わせているので地図画像の領域をカメラ画像の領域に合わせて小さくする必要はなく、視認性は劣らない。このように効果的なレイアウトを可能にしているのは、地図画像４５０の画像が、中心部分の地名や道路の情報がより重要で、右上角などの角の情報は中心部分ほど重要ではないことによる。
【００３１】
ただし、図５のレイアウトは、常に効果的なレイアウトというわけではなく、運転情報の内容次第では、ユーザが、カメラ画像４６０の下に隠れた道路等を確認したくなる場合や、カメラ画像４６０を拡大させて確認したくなる場合がある。そのような場合のために、カメラ画像４６０の右上角と左下角にはそれぞれ、非表示ボタン４７０と表示切替ボタン４８０とを表示している。
【００３２】
非表示ボタンがマウス等でクリックされると、図６に示すようにカメラ画像４６０が非表示になり、地図画像４５０のカメラ画像４６０に隠れていた部分が現れる。また表示切替ボタン４８０がクリックされると、図７に示すようにカメラ画像４６０が画像表示領域４４０の枠いっぱいに表示される。このとき、図示を省略するが、カメラ画像４６０の右上角に地図画像４５０が表示するよう構成してもよい。
【００３３】
さて、運転情報リストの１行を選択したとき、図４の例では、地図画像とカメラ画像との両方を表示していたが、場合によっては、最初からカメラ画像のみが画像表示領域４４０の枠いっぱいに表示されることがある。
【００３４】
図８に表示例を示す。同図において運転情報リストの１つの行８１０が選択されると、画像表示領域にはカメラ画像８２０のみが表示されて、地図画像は表示されない。これは、行８２０の運転情報にＧＰＳ情報が含まれていないことによる。
【００３５】
車載装置にＧＰＳ受信機が備わっていない場合や、備わっていてもエラーによりＧＰＳ情報が取得できなかった場合等、運転情報にＧＰＳ情報が含まれていない場合がある。その場合において、もし、図４のように地図画像とカメラ画像との両方を表示しようとすると、ＧＰＳ情報がないので地図画像が作成できずに地図情報の表示部分に黒画等を表示するか、あるいは運転情報のＧＰＳ情報に相当する記憶領域からでたらめな値をとって、でたらめな地図情報を作成して表示することになる。黒画を表示する場合には、画像表示領域４４０の大半が黒画になることで、図４の表示態様に比べて見劣りがするし、でたらめな地図情報を表示する場合には、ユーザのチェックミスにつながる虞がある。そして黒画にしてもでたらめな地図画像にしてもその領域の表示は無駄である。
【００３６】
よってそのような事態を起こさないために、ＰＣ１１０は、運転情報リスト中の選択された行の運転情報にＧＰＳ情報が含まれているか否かを判別し、含まれている場合には図４のような表示態様で表示し、含まれていない場合には図８のような表示態様で表示する。
【００３７】
こうすることで地図情報が作成されない場合でも適切な表示態様で表示し、黒画による表示態様の見劣りがなく、でたらめな地図画像によるユーザのチェックミスの心配もない。
【００３８】
加えて、次のような効果もある。すなわち、図４や図８のようなレイアウトの工夫により、画像表示領域におけるカメラ画像と地図画像の面積占有率が従来よりも高くなり、その結果、従来より画像表示領域の面積が小さくても従来と変わらない画像拡大率で画像を表示することができるようになった。そのおかげで、画像表示領域の横に空きスペースができ、ここに運転情報リストを表示できるようになった。これによりユーザは、１つの運転情報にかかるカメラ画像と地図画像を確認しつつ、他の運転情報のリストを確認することができる。
【００３９】
さらに、運転情報リストには、文字表示に適した情報をまとめて表示し、画像表示領域には、画像表示に適した情報をまとめて表示することにより、ユーザにとっては一層見やすい表示となっている。具体的には、運転情報に含まれるＧＰＳ情報は、数値データであるので、そのまま運転情報リストに表示することも考えられるが、ＧＰＳ情報をそのまま数値データで表示しても、大抵のユーザにとって役に立たない。そこでＧＰＳ情報を基に地図画像に加工して表示することでユーザの視認性を一層高めることができる。
＜動作＞
このように構成された運転支援装置の画像表示の際の動作について図９を用いて説明する。
【００４０】
同図において、ＰＣ１１０は、データベース１２０に蓄積した運転情報を基に運転情報リストを作成して表示し、リスト中の１つがマウス等により選択されると（ステップＳ９１０）、その運転情報にＧＰＳ情報が含まれているか否かを判別する（ステップＳ９３０）。
【００４１】
判別の結果、ＧＰＳ情報がある場合には、ＧＰＳ情報の位置に対応する地図データをデータベース１２０から読みだして地図画像を生成する（ステップＳ９４０）。そしてＰＣ１１０は、地図画像の右上角にカメラ画像を重ねて運転情報リストの横の画像表示領域に表示する（ステップＳ９５０）。
【００４２】
一方、判別の結果、ＧＰＳ情報がない場合には、カメラ画像のみを読み出してそのカメラ画像を画像表示領域の枠いっぱいに表示する（ステップＳ９６０）
＜変形例＞
カメラ２２０、２６０の撮影方向は、前方、後方又は内部に限る必要はなく、また一方向のみを固定で撮影するものである必要はない。
【００４３】
本実施形態では、車載装置の構成にＧＰＳ受信機を含めているが、同車両に搭載されるカーナビゲーションシステムで用いられるＧＰＳ受信機からＧＰＳ情報を取得するよう構成しても良いし、ＡＶＭシステム２９０がＧＰＳ受信機を備えてそのＧＰＳ受信機からＧＰＳ情報を取得するよう構成しても良い。
【００４４】
メモリカード２３０に記録される各運転情報のデータ構造において、カメラ画像や画像関連情報の数は上述に限らない。
【００４５】
その他、上記実施形態に示される各種の具体的な数値は、必ずしもその数値にしなければならないというわけではなく、実際の実施態様にあわせて適宜設計変更し得るものである。
【００４６】
上記実施形態では、カメラ画像は地図画像の右上角に表示することとしているが、右下角、左上角、左下角でもよい。また重なり合っている地図画像の右上角の頂点とカメラ画像の右上角の頂点とを一致させて表示しているが、一致させる必要はなく、ずれていてもよい。要するに、カメラ画像を、地図画像の表示領域の一部分と重なる領域であって、地図画像上の車両位置を示す画像部分を除いた領域に配置すればよい。そうすれば、地図画像の表示された部分から車両位置を確認することができ、かつ、カメラ画像と地図画像とが重なっていることによって、地図画像の地名や道路を小さくしすぎることなく表示することができる。
【００４７】
また、上記各実施形態の各機能は、その機能をコンピュータ読み取り可能なプログラム言語で記述してそのプログラムをコンピュータに実行させることで実現しても良い。
【図面の簡単な説明】
【００４８】
【図１】本発明の実施形態に係る運転支援システムの概略構成を示す図であり、（ａ）はセンタ側の運転支援装置の概略構成を示し、（ｂ）は移動局側の車載装置の概略構成を示す。
【図２】メモリカード２３０に記録される内容のデータ構造を概念的に示す。
【図３】（ａ）（ｂ）はぞれぞれ、主項目データと画像関連データのデータ構造を示す。
【図４】表示画面の一構成例を示す。
【図５】表示画面の一構成例を示す。
【図６】表示画面の一構成例を示す。
【図７】表示画面の一構成例を示す。
【図８】表示画面の一構成例を示す。
【図９】運転支援装置の画像表示の際の動作を表すフローチャートである。
【符号の説明】
【００４９】
１１０  ＰＣ
１２０  データベース
１３０  メモリカードリーダ
１４０  プリンタ
２１０  ドライブレコーダ
２２０  カメラ
２３０  メモリカード
２４０  車両信号取得部
２５０  ＧＰＳアンテナ
２６０  カメラ
２７０  マイク
２８０  外部スイッチ
２９０  ＡＶＭシステム
【図１】
2008033821.tif 000003
【図２】
2008033821.tif 000004
【図３】
2008033821.tif 000005
【図４】
2008033821.tif 000006
【図５】
2008033821.tif 000007
【図６】
2008033821.tif 000008
【図７】
2008033821.tif 000009
【図８】
2008033821.tif 000010
【図９】
2008033821.tif 000011
【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
車両に設置されたカメラにより撮影されたカメラ画像を含む運転情報を取得する取得手段と、
前記取得手段により取得された運転情報が位置情報を含むか否かを判別する判別手段と、
判別の結果、位置情報を含む場合、表示装置の表示領域に前記位置情報の位置を記した地図画像とカメラ画像とを表示し、
位置情報を含まない場合、前記表示領域にカメラ画像を位置情報を含む場合の表示よりも大きく表示する画像表示手段とを備えることを特徴とする運転支援装置。
【請求項２】
前記運転情報は、さらに、文字情報を含み、
前記取得手段は、複数の運転情報を取得し、
前記運転支援装置は、さらに、
前記取得手段により取得された各運転情報に含まれる文字情報をリスト化して前記表示領域とは重ならない他の表示領域に表示するリスト表示手段と、
前記リスト上のいずれかの運転情報のユーザによる選択指示を取得する指示取得手段とを備え、
前記判別手段及び前記表示制御手段は、前記選択指示取得手段により選択された運転情報について、前記判別及び前記表示を行うことを特徴とする請求項１に記載の運転支援装置。
【請求項３】
コンピュータに読み取り可能な運転支援プログラムであって、当該プログラムはコンピ
ュータに、
車両に設置されたカメラにより撮影されたカメラ画像を含む運転情報を記録媒体から取得する取得ステップと、
前記取得ステップにより取得された運転情報が位置情報を含むか否かを判別する判別ステップと、
判別の結果、位置情報を含む場合、表示装置の表示領域に前記位置情報の位置を記した地図画像とカメラ画像とを表示し、
位置情報を含まない場合、前記表示領域にカメラ画像を位置情報を含む場合の表示よりも大きく表示する画像表示ステップとを実行させることを特徴とする運転支援プログラム。
【請求項４】
少なくとも車両に設置されたカメラにより撮影されたカメラ画像を含む運転情報を取得する取得手段と、
前記取得手段により取得された運転情報が位置情報を含むか否かを判別する判別手段と
判別の結果、位置情報を含む場合、表示装置の所定の表示領域に前記位置情報の位置を中心とした地図画像を表示すると共に、該地図画像上の前記位置情報の位置と重ならない個所にカメラ画像を表示し、
位置情報を含まない場合、前記表示領域に地図画像に換えてカメラ画像を位置情報を含む場合の表示よりも大きく表示する画像表示手段とを備えることを特徴とする運転支援装置。
【請求項５】
少なくとも車両に設置されたカメラにより撮影されたカメラ画像を含む運転情報を取得するステップと、
該取得された運転情報に車輌の位置を示す位置情報が含まれる場合、該位置情報の位置を記した地図画像とカメラ画像を所定の表示領域に表示するステップと、
該取得された運転情報に車輌の位置を示す位置情報が含まれない場合、カメラ画像を、  前記位置情報を含む場合の表示よりも大きく前記所定の表示領域に表示するステップと、
を含むことを特徴とする運転支援方法。
【請求項６】
少なくとも車両に設置されたカメラにより撮影されたカメラ画像を含む運転情報を取得するステップと、
該取得した運転情報の内、予め定められた運転情報を第1の表示領域に表示するステップと、
該第１の表示領域内に表示された運転情報の中から画像情報を表示するための運転情報を特定するステップと、
該特定された運転情報に車輌の位置を示す位置情報が含まれる場合、該位置情報の位置を記した地図画像と前記特定された運転情報に対応するカメラ画像を第２の表示領域に表示するステップと、
該特定された運転情報に車輌の位置を示す位置情報が含まれない場合、前記特定された運転情報に対応するカメラ画像を、前記位置情報を含む場合の表示よりも大きく前記第２の表示領域に表示するステップと、
を含むことを特徴とする運転支援方法。
【手続補正３】
【補正対象書類名】明細書
【補正対象項目名】０００６
【補正方法】変更
【補正の内容】
【０００６】
上記目的を達成する運転支援装置は、車両に設置されたカメラにより撮影されたカメラ画像を含む運転情報を取得する取得手段と、前記取得手段により取得された運転情報が位置情報を含むか否かを判別する判別手段と、判別の結果、位置情報を含む場合、表示装置の表示領域に前記位置情報の位置を記した地図画像とカメラ画像とを表示し、位置情報を含まない場合、前記表示領域にカメラ画像を位置情報を含む場合の表示よりも大きく表示する画像表示手段とを備える。